(57)【要約】【課題】複数の通帳や証書が発行されてしまうことを防止する【解決手段】通帳カセット１１や証書カセット１３内に収納された通帳１６や証書１７の厚さを算出して記憶部に記憶し、通帳カセット１１や証書カセット１３から繰出された通帳１６や証書１７の厚さを搬送路３に設けられた印字部６により検知して、その検知した通帳１６や証書１７の厚さを前記記憶部に記憶した通帳１６や証書１７の厚さと比較することで通帳１６や証書１７の重送を検出する。【選択図】図１
2008156083.tif 000002
【特許請求の範囲】
【請求項１】
媒体カセットから媒体を繰出して搬送路により処理部に搬送し、該処理部で処理を行って発行する媒体処理装置において、
発光素子及び受光素子を有し、媒体カセット内に収納された媒体の並び方向に沿って移動可能な媒体読取部と、
前記搬送路中を搬送される媒体の厚さを検知する検知手段とを備え、
前記媒体読取部を移動させつつ発光素子の光を媒体カセット内の媒体に照射してその反射光を受光することにより得られる出力から前記媒体の数を計数すると共に、前記媒体読取部の移動速度及び移動時間から移動距離を算出して、この移動距離と前記媒体の数から算出される媒体の厚さを記憶部に記憶し、
前記媒体カセットから繰出した媒体の厚さを前記検知手段で検知して、その厚さを前記記憶部に記憶した媒体の厚さと比較することで重送の検出を行うことを特徴とする媒体処理装置。
【請求項２】
請求項１記載の媒体処理装置において、
前記媒体に印字処理を行う前記処理部である印字部を前記検知手段とし、
印字部のヘッドギャップ調整機能により媒体の厚さを検知することを特徴とする媒体処理装置。
【請求項３】
請求項１記載の媒体処理装置において、
前記搬送路に設けられる開閉可能なローラ対を前記検知手段とし、このローラ対間を媒体が通過するときのローラ対の開き量により媒体の厚さを検知することを特徴とする媒体処理装置。
【発明の詳細な説明】
【技術分野】
【０００１】
本発明は、カセットから繰出された媒体を搬送路により印字部等に搬送し、印字等の処理を行って発行する媒体処理装置に関するものである。
【背景技術】
【０００２】
従来のこの種の媒体処理装置として、金融機関で使用される通帳発行装置がある。
この通帳発行装置は、媒体である通帳や証書を収納する媒体カセットを備え、この媒体カセットから繰出された媒体を搬送路により印字部等に搬送して印字等の処理を行った後、排出部に排出して発行するものとなっている（例えば、特許文献１参照）。
【特許文献１】特開平１０−２９７３３号公報（段落「０００７」、「０００８」、図２）
【発明の開示】
【発明が解決しようとする課題】
【０００３】
しかしながら、上述した従来の技術においては、媒体カセットから媒体が複数重ねて繰出され、そのまま印字部等の処理部に搬送された場合、つまり重送状態のまま印字部等の処理部に送り込まれても、その重送を検出することができないため、そのまま処理が行われた場合、複数の媒体が発行されてしまうという問題がある。
本発明は、このような問題を解決することを課題とする。
【課題を解決するための手段】
【０００４】
そのため本発明は、媒体カセットから媒体を繰出して搬送路により処理部に搬送し、該処理部で処理を行って発行する媒体処理装置において、発光素子及び受光素子を有し、媒体カセット内に収納された媒体の並び方向に沿って移動可能な媒体読取部と、前記搬送路中を搬送される媒体の厚さを検知する検知手段とを備え、前記媒体読取部を移動させつつ発光素子の光を媒体カセット内の媒体に照射してその反射光を受光することにより得られる出力から前記媒体の数を計数すると共に、前記媒体読取部の移動速度及び移動時間から移動距離を算出して、この移動距離と前記媒体の数から算出される媒体の厚さを記憶部に記憶し、前記媒体カセットから繰出した媒体の厚さを前記検知手段で検知して、その厚さを前記記憶部に記憶した媒体の厚さと比較することで重送の検出を行うことを特徴とする。
【発明の効果】
【０００５】
このようにした本発明は、媒体カセット内に収納された媒体の厚さを算出して記憶部に記憶し、媒体カセットから繰出された媒体の厚さを搬送路中で検知手段により検知して、その検知した媒体の厚さを前記記憶部に記憶した媒体の厚さと比較するようにしているため、媒体カセットから媒体が複数重ねて繰出された場合、その媒体の重送を確実に検出することができ、複数の媒体が発行されてしまうことを防止することができるという効果が得られる。
【発明を実施するための最良の形態】
【０００６】
以下、図面を参照して本発明による通帳証書発行装置の実施例を説明する。
【実施例】
【０００７】
図１は実施例の通帳証書発行装置の内部構成を示す概略図である。
図において１は通帳証書発行装置で、この通帳証書発行装置１の正面上部には挿入口２が設けられ、この挿入口２から奥に向かって通帳または証書を搬送する搬送路３が設けられており、この搬送路３に沿って、通帳を改頁する改頁部４、通帳の頁及び印字済み行を検出する頁印字済み行検出部５、通帳または証書に印字を行う印字部６、及び通帳に設けられている磁気ストライプに対してデータの記録または読取を行う磁気記録読取部７が設けられている。
【０００８】
８は通帳証書発行装置１の上部手前側に形成された通帳証書排出部で、この通帳証書排出部８に処理済の通帳（媒体）あるいは証書（媒体）が搬送路３ａにより搬送されて排出され、発行されるものとなっている。
９は通帳証書発行装置１の上部奥側に設けられた表示部、１０は搬送路３の終端に設けられた保管部で、この保管部１０に発行不可になった通帳や証書を取り込んで保管するものとなっている。
【０００９】
搬送路３の下方には通帳が収納される複数の通帳カセット（媒体カセット）１１と証書が収納される複数の証書カセット（媒体カセット）１３が上下方向に２列に並設され、図における右側の通帳カセット１１は左側に繰出し部を有し、左側の通帳カセット１１及び証書カセット１３は右側に繰出し部を有しており、両側のカセット１１，１３は互いに繰出し部を先頭に対向するように装着されている。
【００１０】
各通帳カセット１１、及び証書カセット１３は通帳証書発行装置１に対して着脱可能である。
尚、証書カセット１３は左側の列の通帳カセット１１の下側に配置されているが、この位置に限定されるものではない。
１２は通帳カセット１１内に収納された通帳の冊数を計数するための通帳読取部である。
【００１１】
左右のカセット列の間の空間にキャリア１４が上下方向に移動できるように配置されている。
このキャリア１１は通帳カセット１１や証書カセット１３から繰出される通帳や証書を取り込み、所定の位置まで上昇した後、通帳や証書を搬送路３に送り込む機能を有している。
【００１２】
ここで、通帳発行処理動作について説明する。
キャリア１４を目的とする通帳カセット１１の繰出し位置に位置付け、その通帳カセット１１から図示しない繰出し手段により通帳を１冊繰出してキャリア１４に取込み、キャリア１４を上昇させて所定の位置でキャリア１４から通帳を搬送路３に送り込む。
搬送路３に送り込まれた通帳は印字部６に搬送され、印字部６で表紙に顧客の氏名、口座番号等が印字される。
【００１３】
次に通帳１６は改頁部４へ送られて、ここで該当する頁が開くように改頁が行われ、頁印字済み行検出部５で該当頁における印字の可否を確認した後、再び印字部６へ搬送して印字を行う。
印字処理が終了すると磁気記録読取部７へ搬送されて、通帳の磁気ストライプに所定の情報が記録され、そして磁気記録読取部７で記録内容を読取って、正常な場合、通帳は通帳証書排出部８に搬送され、排出されて発行処理を終了する。
【００１４】
証書発行処理動作については、  キャリア１４を目的とする証書カセット１３の繰出し位置に位置付け、その証書カセットから図示しない繰出し手段により証書を１部繰出してキャリア１４に取込み、キャリア１４を上昇させて所定の位置でキャリア１４から証書を搬送路３に送り込む。
搬送路３に送り込まれた証書は印字部６に搬送され、印字部６で必要な情報が印字された後、通帳証書排出部８に搬送され、排出されて発行処理を終了する。
【００１５】
図２はカセット内の通帳の厚さを検出する場合の説明図で、図２（ａ）に示すように通帳１６は綴じ目側を上にして通帳カセット１１内に斜めにした状態で収納され、図示しないスプリングにより付勢された押圧部材１５により繰出し部方向へ押圧されている。
通帳読取部１２は発光ダイオードによる発光素子１２ａとフォトトランジスタによる受光素子１２ｂを有し、通帳カセット１１内に収納された通帳１６の上方で該通帳１６の列に沿って（図では左右方向）往復移動可能に配置されている。
【００１６】
発光素子１２ａは電気信号により発光し、その光が物体に反射したときの反射光を受光素子１２ｂで受光することにより出力信号に変換されることになる。
出力信号は発光素子１２ａ及び受光素子１２ｂと測定対象となる物体の距離により変化し、距離が小さいほど反射光が強いので出力が大きくなる。
本実施例において発光素子１２ａからの光の強度及び性質は定常とし、通帳カセット１１の繰出し部側の端部及び押圧部材１５の上面を例えば白色にする等して光をよく反射するようにしておくことで、受光素子１２ｂ出力が大きくなるようにしておく。
【００１７】
通帳１６の厚さを検出する場合、発光素子１２ａを発光させて通帳読取部１２を通帳カセット１１の繰出し部側から反対側つまり押圧部材１５側へ移動させると、発光素子１２ａの光は通帳カセット１１の繰出し部側の端部から通帳カセット１１内に収納された通帳１６の綴じ目側、及び押圧部材１５の上面に反射して受光素子１２ｂで受光される。
この場合、受光素子１２ｂの出力信号は、図２（ｂ）に示すものとなり、通帳カセット１１の繰出し部側の端部及び押圧部材１５の上面に相当する部分では、通帳１６の部分より大きいので、複数の通帳１６を収納した部分の両端部として判別可能であり、そのため、この両端部の間の出力を解析することにより、通帳１６の有無及び冊数を検出する。
【００１８】
すなわち、通帳カセット１１に収納された通帳１６の綴じ目側（端部）、つまり通帳１の上部は山状になり、通帳１６と通帳１６の間は谷状になるので、山状の部分では発光素子１２ａとの距離が小さいために受光素子１２ｂの出力が大きくなり、谷状の部分では発光素子１２ａとの距離が大きいために出力が小さくなる。
このことにより受光素子１２ｂの出力信号は、山状の部分と谷状の部分が交互に連続した形状となるので、この山の頂部と谷の底部の間にスライスレベルを設定し、出力がこのスライスレベルを越えてピークを形成する山状の部分の数を図示しない制御部が計数することで、通帳カセット１１内に収納されている通帳１６の冊数を検出する。
【００１９】
そして前記制御部は通帳読取部１２の移動速度及び移動時間から移動距離を算出し、この移動距離と前記のように検出した通帳カセット１１内の通帳１６の冊数から、１冊の通帳１６の厚さを算出する。
この通帳１６の厚さの算出は、すべての通帳カセット１１について行うが、通帳１６の種類が異なる通帳カセット１１について行うものとしてもよい。
【００２０】
算出された通帳１６の厚さは、それを収納している通帳カセット１１のカセット番号（識別情報）と共に制御部内のメモリあるいは別の記憶部に記憶させておく。
図３は証書の厚さを検出する場合の説明図で、この図３（ａ）に示すように証書カセット１３には証書１７が水平状態で収納されている。
各証書１７の一側（図では右側）片面側には証書１７の素地部１７ａより色の濃い暗色のマーク１７ｂが印刷または塗布され、これにより証書１７の積層方向において素地部１７ａとマーク１７ｂが交互に並ぶようになっており、この素地部１７ａとマーク１７ｂが露出するように証書カセット１３の一側にはスリットまたは窓が設けられている。
【００２１】
１８は証書カセット１３の一側（図では右側）外側に設けられた証書読取部で、この証書読取部１８は通帳読取部１２の発光素子１２ａ及び受光素子１２ｂと同様の発光素子１８ａ及び受光素子１８ｂを有しており、前記スリットまたは窓に沿って上下動するものとなっている。
前述したように発光素子１２ａからの光を物体に反射させて受光素子１２ｂで受光したときの出力信号は測定対象となる物体の距離により変化するが、受光素子１８ｂの出力信号は測定対象となる物体の色によっても変化するものであり、受光素子１８ｂも同様である。また、発光素子１８ａの光の強度及び性質は定常とする。
【００２２】
証書の厚さを検出する場合、発光素子１８ａを発光させて証書読取部１８を証書カセット１３の上部部側から下部へ移動させると、発光素子１８ａの光が証書カセット１３内に収納された証書１７の素地部１７ａとマーク１７ｂに反射して受光素子１２ｂで受光される。
この場合、素地部１７ａの反射率が高く暗色のマーク１７ｂは反射率が低いので、受光素子１２ｂの出力信号は、図３（ｂ）に示すような素地部１７ａによる山状の部分とマーク１７ｂによる谷状の部分が交互に連続した形状となるので、この山の頂部と谷の底部の間にスライスレベルを設定し、出力がこのスライスレベルを越えてピークを形成する山状の部分の数を図示しない制御部が計数することで、証書１７の冊数を検知することができる。
【００２３】
そして前記制御部は証書読取部１８の移動速度及び移動時間から移動距離を算出し、この移動距離と前記のように検出した証書カセット１３内の証書１７の部数から、１部あたりの証書１７の厚さを算出する。
この証書１７の厚さの検出は、すべての証書カセット１３について行うが、証書１７の種類が異なる証書カセット１３について行うものとしてもよい。
【００２４】
算出された証書１７の厚さは、それを収納している証書カセット１３のカセット番号（識別情報）と共に制御部内のメモリあるいは別の記憶部に記憶させておく。
図４は印字部６の構造を示す側面図である。
２０は印字ヘッド、２１はリボンプロテクタブラケット、２２はリボンプロテクタブラケット２１に取付けられた接触検知センサ、２３はガイドシャフト、２４はこのガイドシャフト１７に沿って移動するキャリッジで、前記印字ヘッド２０とリボンプロテクタブラケット２１はこのキャリッジ２４に搭載され、キャリッジ１８と一体にスペース動作を行うものとなっている。
【００２５】
２５は搬送路３を挟んで印字ヘッド２０の先端と対向する位置に設けられたプラテンで、印字ヘッド２０のスペース動作方向に延在しており、このプラテン２５の両端部にはラック２６が固定されている。
２７は図示しないフレーム等に固定されたモータで、このモータ２７の回転軸には、周縁部に複数のスリットを一定の間隔で設けた円板状のスリットディスク２８と駆動ギア２９が設けられており、そしてスリットディスク２８のスリットによりモータ２７の回転量を検知するためのフォトセンサ３０が前記スリットディスク２８を挟むように設けられている。
【００２６】
３１は駆動ギア２９に噛み合わせたギア、３２はこのギア３１と同軸に設けられたギア、３３はこのギア３２に噛み合わせたギア、３４はこのギア３３と同軸に設けられた長軸ギアで、これらは前記フレーム等に支持されており、長軸ギア３４はプラテン２５に沿って延伸してプラテン２５の両側に設けられたラック２６と噛合っており、これによりモータ２７の回転力が前記各ギア２９、３１〜３４を介してラック２６に伝達され、ラック２６と一体にプラテン２５が上下動するものとなっている。
【００２７】
すなわち、本実施例においてモータ２７、各ギア２９、３１〜３４、及びラック２６はプラテン２５を上昇、下降させる移動機構を構成している。
尚、ラック２６には縦長のガイド孔が設けられ、このガイド孔に前記フレーム等に設けられたガイドポストを嵌合させることで、ガイド孔とガイドポストによりラック２６及びプラテン２５の上下動がガイドされるようになっている。
【００２８】
３５は搬送路３に沿って複数対設けられたフィードローラで、これらのフィードローラ３５により通帳１６や証書１７が搬送路３中を搬送されるようになっている。
ところで、前記リボンプロテクタブラケット２１に取付けられた接触検知センサ２２は、プラテン２５の上昇によりリボンプロテクタブラケット２１に通帳１６や証書１７が接触したとき、その接触を検知するようになっており、この接触検知センサ２２と前記スリットディスク２８３及び前記フォトセンサ３０により通帳１６や証書１７の厚さを検知する厚さ検知手段が構成されている。
【００２９】
また、印字時に通帳１６や証書１７とリボンプロテクタブラケット２１との間に常に一定のギャップ（例えば０．１〜０．２ｍｍ程度）が保持されるようにしてあり、これは改行時に通帳１６や証書１７とリボンプロテクタブラケット２１とを接触させないことで、プラテン２５を下げなくても改行できるようにする等の理由によるものである。
ギャップの調整は、モータ２７、各ギア２９、３１〜３４、及びラック２６によりプラテン２５を上昇させて通帳１６または証書１７をリボンプロテクタブラケット２１に接触させ、それを接触検知センサ２２が検知した時点を「０」として、０．１〜０．２ｍｍ程度のギャップが形成される分だけモータ２７、各ギア２９、３１〜３４、及びラック２６によりプラテン２５を下降させることで行う。
【００３０】
このような構成による印字部は本実施例において通帳１６及び証書１７の厚さを検知する検知手段として利用するもので、この印字部６による通帳１６及び証書１７の厚さ検知について説明する。
まず、印字ヘッド２０とプラテン２５との間に通帳１６及び証書１７が送り込まれていない状態において、予め定めたプラテン２５の初期位置からリボンプロテクタブラケット２１までの距離を以後の基礎データとするための初期動作を行う。
【００３１】
すなわち、図示しない制御部からの指令によりモータ２７を回転させ、ギア２９、３１〜３４、及びラック２６によりプラテン２５を上昇させて行くと、それに従ってプラテン２５とリボンプロテクタブラケット２１との間隔が狭まってゆき、ついにはプラテン２５がリボンプロテクタブラケット２１に接触する。
この接触が接触検知センサ２２に検知されるので、検知時点でモータ２７の回転を止め、プラテン２５の上昇を停止させる。
【００３２】
一方、前記のようにモータ２７を回転させると、モータ２７の回転軸に設けられたスリットディスク２８が回転し、そのスリットディスク２８のスリットをフォトセンサ３０が検知する毎に検知パルスを出力するので、プラテン２５の上昇開始から接触検知センサ２２による検知までのフォトセンサ３０の検知パルス数を前記制御部がカウントして、これをプラテンの初期位置からリボンプロテクタブラケット２１に接触するまでのプラテン２５の移動量として制御部内のメモリあるいは別の記憶部に記憶する。
【００３３】
次に、印字ヘッド２０とプラテン２５との間に例えば通帳１６が送り込まれた状態において、モータ２７を回転させ、ギア２９、３１〜３４、及びラック２６によりプラテン２５を初期位置から上昇させて行くと、プラテン２５は通帳１６に接触して押し上げ、これにより通帳１６がリボンプロテクタブラケット２１に接触し、この接触が接触検知センサ２２に検知されるので、検知時点でモータ２７の回転を止め、プラテン２５の上昇を停止させる。
【００３４】
このときのプラテン２５の上昇開始から接触検知センサ２２による検知までのフォトセンサ３０の検知パルス数を前記制御部がカウントしてプラテンの移動量とし、この移動量と前記メモリあるいは記憶部に記憶したプラテン２５のみ上昇時の移動量との差を通帳１６の厚さとする。
証書１７の厚さも同様に検出することができる。
【００３５】
上述した構成の作用を図５により説明する。
図５は通帳の重送検知の処理手順を示すフローチャートである。
尚、以下に説明する各部の動作は、図示しない記憶部に格納されたプログラム（ソフトウェア）に基づいて図示しない制御部により制御されるものとし、制御部による記憶部等からの情報の読出しやそれに基づく制御については、必要な場合を除いて省略する。
【００３６】
まず、通帳カセット１１内に収納されている通帳１６の厚さ、及び証書カセット１３内に収納されている通帳１６の厚さは上述のように算出され、図示しない制御部のメモリあるいは別の記憶部に記憶されているものとする。
そこで、例えば通帳１６を発行する場合、制御部の指示によりキャリア１４が目的とする通帳カセット１１の繰出し位置に位置付けられ、その通帳カセット１１から図示しない繰出し手段により通帳１６が繰出されて（Ｓ１）、キャリア１４に取込まれる。
【００３７】
その後、キャリア１４が上昇して所定の位置でキャリア１４から通帳１６が搬送路３に送込まれる、搬送路３に送り込まれた通帳１６は印字部６に搬送される（Ｓ２）、
そして、制御部は前記のように印字部６で通帳１６の厚さを検出し（Ｓ３）、その検出した厚さと記憶部に記憶されている該当通帳の厚さを比較して（Ｓ４）、一致するか否かを判断する（Ｓ５）。
【００３８】
尚、記憶部に記憶されている通帳の厚さはカセット番号と対応しているので、発行する通帳１６を繰出した通帳カセット１１のカセット番号から、比較対象の通帳の厚さを検索する。
前記判断の結果、通帳の厚さが一致している場合、図１で説明した手順で通帳１６の発行処理を行う（Ｓ６）。
【００３９】
不一致の場合、つまり通帳１６の重送が検出された場合、処理を中断して、表示部９に重送によるエラーが生じた旨のメッセージ等を表示する（Ｓ７）、または処理を継続するものとして重送が検出された通帳１６を保管部１０に搬送して取り込み（Ｓ８）、Ｓ１からの動作を繰り返す。
証書１７の場合も、同様に重送を検出することが可能となる
以上説明した実施例によると、通帳カセット１１や証書カセット１３内に収納された通帳１６や証書１７の厚さを算出して記憶部に記憶し、通帳カセット１１や証書カセット１３から繰出された通帳１６や証書１７の厚さを搬送路３に設けられた印字部６により検知して、その検知した通帳１６や証書１７の厚さを前記記憶部に記憶した通帳１６や証書１７の厚さと比較するようにしているため、通帳媒体カセット１１や証書カセット１３から通帳１６や証書１７が複数重ねて繰出された場合、その通帳１６や証書１７の重送を確実に検出することができ、複数の通帳１６や証書１７が発行されてしまうことを防止することができるという効果が得られる。
【００４０】
尚、上述した実施例では印字部６を通帳１６や証書１７の厚さを検知する検知手段として利用するものとしたが、搬送路３に設けられる任意のフィードローラ３対を開閉可能として検知手段とし、このフィードローラ３対間を通帳１６や証書１７が通過するときのローラ３対の開き量をセンサ等により測定して通帳１６や証書１７の厚さを検知する世に構成することも可能である。
【図面の簡単な説明】
【００４１】
【図１】実施例の通帳証書発行装置の内部構成を示す概略図
【図２】カセット内の通帳の厚さを検出する場合の説明図
【図３】カセット内の証書の厚さを検出する場合の説明図
【図４】印字部６の構造を示す側面図
【図５】通帳の重送検知の処理手順を示すフローチャート
【符号の説明】
【００４２】
１    通帳証書発行装置
２    挿入口
３    搬送路
４    改頁部
５    頁印字済み行検出部
６    印字部
７    磁気記録読取部
８    通帳証書排出部
９    表示部
１０  保管部
１１  通帳カセット
１２  通帳読取部
１２ａ  発光素子
１２ｂ  受光素子
１３  証書カセット
１６  通帳
１７  証書
１７ａ  素地部
１７ｂ  マーク
１８  証書読取部
１８ａ  発光素子
１８ｂ  受光素子
２０  印字ヘッド
２５  プラテン
２７  モータ
２８  スリットディスク
３０  フォトセンサ
【図１】
2008156083.tif 000003
【図２】
2008156083.tif 000004
【図３】
2008156083.tif 000005
【図４】
2008156083.tif 000006
【図５】
2008156083.tif 000007